(57)【要約】【課題】線状コンセントに接続するＬＥＤ照明器具において、線状コンセントにＬＥＤ照明器具を複数隙間無く接続した状態で各器具の照明領域を合わせると切れ目が無く直線状となるようにするとともに、この状態であっても各器具は独立して照明方向を変更可能とする。【解決手段】筐体内部のＬＥＤ光源から出射された光を筐体外部に透過拡散させる拡散板１２を筐体の上面に備えた本体部と、線状コンセント３０に接続するための端子を備えた端子部とから構成し、本体部を、端子部よりも大きい長さを有するとともに、筐体の下面側で端子部により線状コンセント３０の長手方向と直交する方向に回動可能に軸支する。拡散板１２の照明領域は、本体部の上記長手方向両端まで延びるように構成する。【選択図】図５
0003136599.tif 000002
【実用新案登録請求の範囲】
【請求項１】
直線状に延び、長手方向のどこでも接続可能な電極を備えた線状コンセントに接続するためのＬＥＤ照明器具であり、
箱状の筐体内部にＬＥＤ光源を収容するとともに、該ＬＥＤ光源から出射された光を筐体外部に透過拡散させる方形の照明領域を有する拡散板を前記筐体の一面に備えた本体部と、
前記電極に接続するための端子を備えた端子部とを備え、
前記ＬＥＤ照明器具が前記線状コンセントに接続された状態で、前記本体部は、前記端子部よりも大きい長さを有するとともに、前記一面と反対の面側で前記端子部に前記長手方向と直交する方向に回動可能に軸支され、
前記照明領域は、前記本体部の前記長手方向両端まで延びたものであることを特徴とするＬＥＤ照明器具。
【請求項２】
前記箱状の筐体が、前記線状コンセントに接続された状態で前記長手方向に延びた形状をしており、前記筐体内部に前記ＬＥＤ光源が長手方向に複数直線状に配置され、前記方形の照明領域が矩形をしていることを特徴とする請求項１記載のＬＥＤ照明器具。
【考案の詳細な説明】
【技術分野】
【０００１】
直線状に延び、長手方向のどこでも接続可能な電極を備えた線状コンセントに接続するためのＬＥＤ照明器具の照明部の構造に関するものである。
【背景技術】
【０００２】
特許文献１に記載のように、従来より陳列棚やショーケース等において、長手方向のどこでも照明器具を接続可能な線状コンセントを備え、この線状コンセントの任意の場所に照明器具を接続可能として、陳列物の種類や配置等に応じて照明器具の位置を微調整できるようにされたものが実用化されている。
【０００３】
このような陳列棚やショーケースに備えられた線状コンセントに接続するための照明器具の光源として、近年では小型かつ低発熱であることからＬＥＤが用いられるようになってきた。
【特許文献１】実用新案公開平７−１７１５９号公報
【考案の開示】
【考案が解決しようとする課題】
【０００４】
線状コンセントを備えた陳列棚やショーケースにおいては、上述のように、線状コンセントの任意の場所に照明器具を接続して、陳列物の種類や配置等に応じて照明器具の位置を微調整できるという利点があるが、蛍光灯のように切れ目が無く直線状に延びる照明を得ることができない。
【０００５】
このような線状コンセントを備えた陳列棚やショーケースにおいて、蛍光灯のように切れ目が無く直線状に延びる照明を蛍光灯以外のＬＥＤ等の光源を用いて実現したい場合、線状コンセントに複数の照明器具を隙間無く接続して対応するしかないが、線状コンセントに照明器具を複数隙間無く接続したとしても、各器具の照明領域は器具の中心付近のみで外周部分は光らない（照明部分ではない）ため、直線状に延びる一体的な光源を実現することはできない。
【０００６】
また、線状コンセントに複数の照明器具を隙間無く接続した状態であっても、各照明器具の照明方向は必要に応じて変更可能であることが好ましい。
【０００７】
本考案はこのような要望に応えてなされたものであり、線状コンセントに照明器具を複数隙間無く接続した状態で各器具の照明領域を合わせることにより切れ目が無い直線状の照明を実現し、また、この状態であっても各器具は独立して照明方向を変更することが可能なＬＥＤ照明器具を提供することを目的とするものである。
【課題を解決するための手段】
【０００８】
本考案のＬＥＤ照明器具は、直線状に延び、長手方向のどこでも接続可能な電極を備えた線状コンセントに接続するためのＬＥＤ照明器具であり、箱状の筐体内部にＬＥＤ光源を収容するとともに、ＬＥＤ光源から出射された光を筐体外部に透過拡散させる方形の照明領域を有する拡散板を筐体の一面に備えた本体部と、電極に接続するための端子を備えた端子部とを備え、ＬＥＤ照明器具が線状コンセントに接続された状態で、本体部は、端子部よりも大きい長さを有するとともに、前記一面と反対の面側で端子部に前記長手方向と直交する方向に回動可能に軸支され、照明領域は、本体部の前記長手方向両端まで延びたものであることを特徴とするものである。
【０００９】
ここで、「照明領域は、本体部の前記長手方向両端まで延びたものである」とは、照明領域が本体部の前記長手方向両端まで完全に延びているものに限らず、照明領域の端部が筐体を構成する部材（例えば金属板）の厚さ分程度は内側に構成されていても実質的に端部まで延びているものは、これを含むものとする。
【００１０】
また、好ましくは、箱状の筐体が線状コンセントに接続された状態で前記長手方向に延びた形状をしており、筐体内部に前記ＬＥＤ光源が長手方向に複数直線状に配置され、方形の照明領域が矩形、すなわち細長い形状をしているのがよい。
【考案の効果】
【００１１】
本考案のＬＥＤ照明器具によれば、ＬＥＤ照明器具が線状コンセントに接続された状態における線状コンセントの長手方向において、本体部を端子部よりも大きい長さにするとともに、方形の照明領域を本体部の前記長手方向両端まで延びたものとしたことにより、線状コンセントに照明器具を複数隙間無く接続した状態で各器具の照明領域を合わせた場合に、照明領域を切れ目が無い直線状にすることが可能である。
【００１２】
また、本体部を筐体の拡散板を備えた面と反対の面側で端子部に前記長手方向と直交する方向に回動可能に軸支された構成としているため、線状コンセントにＬＥＤ照明器具を複数隙間無く接続した状態であっても各器具は独立して照明方向を変更することが可能である。
【００１３】
さらに、箱状の筐体が長手方向に延びた形状をしており筐体内部に前記ＬＥＤ光源が長手方向に複数直線状に配置され、方形の照明領域が細長い形状をしている場合には、蛍光灯のようにさらにきれいに切れ目が無く直線状に延びる照明を実現することができる。
【考案を実施するための最良の形態】
【００１４】
以下、本考案にかかる一実施の形態のＬＥＤ照明器具について、図面を参照して詳細に説明する。図１は本考案の一実施の形態のＬＥＤ照明器具の全体を示す正面図、図２は上記ＬＥＤ照明器具の全体を示す上面図、図３は上記ＬＥＤ照明器具の全体を示す側面図、図４は上記ＬＥＤ照明器具において拡散板を外した状態を示す上面図、図５は上記ＬＥＤ照明器具を線状コンセントに接続した状態を示す上面図、図６は上記ＬＥＤ照明器具を線状コンセントに接続した状態を示す側面図、図７は上記ＬＥＤ照明器具を線状コンセントに接続し、本体部を傾けた状態を示す側面図である。
【００１５】
図１〜３に示す通り、本実施の形態のＬＥＤ照明器具１は、箱状の筐体１１を備えた本体部１０と、後述の線状コンセント３０の電極３１に接続するための端子２２を備えた端子部２０とからなる。
【００１６】
図４に示すように、本体部１０の筐体１１内部にはＬＥＤ１３が搭載されたＬＥＤ搭載基板１４が４つ直線状に配置されており、また、筐体１１の上面にはＬＥＤ１３から出射された光を筐体１１外部に透過拡散させる拡散板１２が設けられている。
【００１７】
拡散板１２は、ＬＥＤ照明器具１が線状コンセント３０に接続された状態における線状コンセント３０の長手方向（図２／５中左右方向）において、本体部１０の両端まで設けられていればよく、前記長手方向と直交する方向においては、一部が筐体１１に遮蔽されていたり、本体部１０の両端まで設けられていなくてもよい。なお、拡散板１２において筐体１１に遮蔽されていない部分（図２／５中斜線表示部）が照明領域となる。
【００１８】
端子部２０は、断面が略コ字状のフレーム２１の真ん中の辺に、二つの端子２２が互いに電気的に絶縁された状態で固着された構造をしている。
【００１９】
図１に示すように、本体部１０は、端子部２０よりも上記長手方向（図１中左右方向）において大きい長さを有するとともに、筐体１１の下面側で端子部２０に回動可能に軸支されている。また、端子部２０の端子２１と、本体部１０のＬＥＤ搭載基板１４とは、配線２３により電気的に接続されている。
【００２０】
上記のように構成されたＬＥＤ照明器具１に電力を供給する線状コンセント３０は、図５に示すように、２つの端子２２と係合する２つの電極３１を備えている。この電極３１は、線状コンセント３０の長手方向に沿って直線状に延び、長手方向のどこでも端子２２と係合可能に構成されている。線状コンセント３０には不図示の直流電源が接続され、線状コンセント３０に接続されたＬＥＤ照明器具１に対して直流電力を供給可能となっている。
【００２１】
線状コンセント３０に対して上記のように構成されたＬＥＤ照明器具１を複数隙間無く接続した状態で各器具の照明領域を合わせた場合、図５に示すように、照明領域（図５中斜線表示部）を切れ目が無い直線状にすることが可能である。
【００２２】
また、図６および７に示す通り、本体部１０は、筐体１１に取り付けられた回転軸Ｃを中心として、線状コンセント３０の長手方向と直交する方向（図６／７中左右方向）に回転可能である。これは、図５を用いて説明すると、線状コンセント３０の長手方向（図５中左右方向）に沿ってＬＥＤ照明器具１を複数隙間無く接続した状態であっても、各ＬＥＤ照明器具１は線状コンセント３０の長手方向と直交する方向（図５中上下方向）に回転することになるので、各ＬＥＤ照明器具１は互いに干渉することなく独立して照明方向を変更することが可能である。
【００２３】
以上、本考案のＬＥＤ照明器具の好ましい実施の形態について説明したが、本考案のＬＥＤ照明器具は上記に限られるものではなく、例えば筐体内部に収容するＬＥＤ光源の数については、一つのみとしてもよいし、上記以外の複数としてもよい。また、本体部の筐体の長さや形状についても、本考案の効果を得られる範囲でどのようなものとしてもよい。
【図面の簡単な説明】
【００２４】
【図１】本考案の一実施の形態のＬＥＤ照明器具の全体を示す正面図
【図２】上記ＬＥＤ照明器具の全体を示す上面図
【図３】上記ＬＥＤ照明器具の全体を示す側面図
【図４】上記ＬＥＤ照明器具において拡散板を外した状態を示す上面図
【図５】上記ＬＥＤ照明器具を線状コンセントに接続した状態を示す上面図
【図６】上記ＬＥＤ照明器具を線状コンセントに接続した状態を示す側面図
【図７】上記ＬＥＤ照明器具を線状コンセントに接続し、本体部を傾けた状態を示す側面図
【符号の説明】
【００２５】
１    ＬＥＤ照明器具
１０    本体部
１１    筐体
１２    拡散板
１３    ＬＥＤ
１４    ＬＥＤ搭載基板
２０    端子部
２１    フレーム
２２    端子
２３    配線
３０    線状コンセント
３１    電極
【図１】
0003136599.tif 000003
【図２】
0003136599.tif 000004
【図３】
0003136599.tif 000005
【図４】
0003136599.tif 000006
【図５】
0003136599.tif 000007
【図６】
0003136599.tif 000008
【図７】
0003136599.tif 000009